(57)【要約】      （修正有）【課題】操作可能のモードが多様で、カッターを使用することなく、ジュースを最大限に得ることが可能で、ゴミがジュースに入らない組合せ式ジューサーを提供する。【解決手段】ジュースの収容空間１１を有するジュース集中子１０と、中空ネック２１を有し、その底端が封止されて台座２２となり、ジュース集中子を支持する閉鎖子２０と、順方向又は逆方向でジュース集中子に組付けが可能で、網状ろ過ディスク３１を有し、その周面には、収容空間の規制台１４に対応して定位する規制翼３２が、順方向端の軸心には中空ネック部３３が、逆方向端の軸心には中空円錐状柱３４が各々設けられ、中空円錐状柱の末端には、果物に挿入可能なカッター端３４１が、外周面には、果物を搾れる搾汁部３５が設けられる搾汁本体３０と、搾汁本体を順方向で組み立て時に、中空ネック部に合わせて、ジュース集中子内部のジュースを空気圧で移動させるポンプユニット４０を含む。【選択図】図１
0003187897.tif 000002
【実用新案登録請求の範囲】
【請求項１】
ジュースを収集するためのものであり、縦軸に沿って延びている収容空間を有し、前記収容空間の上側には、大径な開口端が設けられており、前記開口端のエッジにジュース排出口が形成されており、前記収容空間の底側には、小径な収集端が設けられており、前記収集端の底側にジュース案内口が形成されており、前記収容空間の前記開口端に近接する箇所では、一組の規制台が設けられているジュース集中子と、
前記ジュース案内口を閉鎖するためのものであり、中空ネックを有し、その底端が封止されて台座となり、前記台座が前記ジュース集中子を支持する閉鎖子と、
順方向又は逆方向で前記ジュース集中子に組付けることが可能であり、網状ろ過ディスクを有し、前記網状ろ過ディスクの周面には、前記収容空間の前記規制台に対応して前記規制台を定位する規制翼が設けられており、前記網状ろ過ディスクの順方向端の軸心に中空ネック部が設けられており、前記網状ろ過ディスクの逆方向端の軸心には、前記中空ネック部と連通する中空円錐状柱が設けられており、前記中空円錐状柱の末端には、果物に挿入可能なカッター端が設けられており、前記中空円錐状柱の開口から予定距離に離れている箇所では、ピールの移動を止めるための止めシートが設けられており、前記中空円錐状柱の外周面には、果物を搾れる搾汁部と、前記中空円錐状柱の内部と連通する網穴と、が設けられている搾汁本体と、
前記搾汁本体を順方向で組み立てているときに、前記中空ネック部に合わせて、前記ジュース集中子の内部にあるジュースを空気圧によって移動させるものであり、押圧可能なノズルと、前記搾汁本体の軸方向に沿って挿入するストローと、を含み、前記ストローによりジュースを吸上げて外部に送り出すことが可能なポンプユニットと、
を含む組合せ式ジューサーにおいて、
前記搾汁本体を順方向で組み立てているときには、果物のジュースを吸上げて噴出することが可能であり、前記搾汁本体を逆方向で組み立てているときには、果物を搾汁することが可能であることを特徴とする、
組合せ式ジューサー。
【請求項２】
前記搾汁部は、三角形断面を有する複数の絞り刃と、案内溝と、から構成され、前記絞り刃のリッジには、フォークが少なくとも一つ設けられていることを特徴とする、請求項１に記載の組合せ式ジューサー。
【請求項３】
前記ジュース集中子の前記ジュース案内口の外周面に外ねじが設けられており、前記閉鎖子の前記中空ネックの内周面には、前記外ねじと螺合する内ねじが設けられていることを特徴とする、請求項１に記載の組合せ式ジューサー。
【請求項４】
前記ジュース集中子の前記規制台は、横方向に沿って設けられている止め用肩部と、立設されている規制壁と、から構成され、前記規制壁の端面には、一組の定位穴が設けられており、前記搾汁本体の前記規制翼の腹側には、前記規制台の前記定位穴と嵌合する定位凸部がそれぞれ設けられていることを特徴とする、請求項１に記載の組合せ式ジューサー。
【請求項５】
前記搾汁本体の前記中空ネック部の外周面に外ねじが設けられており、前記ノズルの周面の底側には、内ねじが設けられている螺旋付きスリーブが設けられており、前記螺旋付きスリーブは前記中空ネック部と螺合することが可能であることを特徴とする、請求項１に記載の組合せ式ジューサー。
【請求項６】
前記ノズルの内部には、バネと、ボール弁と、が設けられており、前記ノズルの半径方向には、前記ノズルと連通する噴出穴が設けられており、前記ストローの底端には、網穴を有するろ過スリーブが嵌め設けられていることを特徴とする、請求項１に記載の組合せ式ジューサー。
【請求項７】
前記中空円錐状柱の末端に設けられている前記カッター端には、内側へ傾斜するのこぎり歯が設けられていることを特徴とする、請求項１に記載の組合せ式ジューサー。
【考案の詳細な説明】
【技術分野】
【０００１】
本考案は、手動のジューサーに関し、特に、搾汁本体を順方向で組み立てているときには、果物のジュースを吸上げて噴出することが可能であり、搾汁本体を逆方向で組み立てているときには、果物を搾汁することが可能な組合せ式ジューサーに関するものである。
【背景技術】
【０００２】
従来、例えば特許文献１の米国特許２２１２３２８号及び特許文献２の米国特許２７３３７４６号のジューサーが提案された。これらのジューサーは、レモンなどの果物を搾汁するためのものであるが、カッターによってピールの一部を切って、搾汁台の周面に設けられている絞りリブに、果物のピールを切った部分を押付けることにより、果物のジュースが流出する。前記ジュースは、食べ物に付けて直接に食べることが可能であり、又は豚肉などの食材に付けて焼いた後に食べることが可能である。
【先行技術文献】
【特許文献】
【０００３】
【特許文献１】米国特許２２１２３２８号公報
【特許文献２】米国特許２７３３７４６号公報
【考案の概要】
【考案が解決しようとする課題】
【０００４】
本考案の主な目的は、搾汁本体を順方向で組み立てているときには、果物をジュースを吸上げて噴出することが可能であり、搾汁本体を逆方向で組み立てているときには、果物を搾汁することが可能であり、カッターを使用することが必要なく、ジュースを最大限に得ることが可能であり、ゴミがジュースに入らない組合せ式ジューサーを提供することにある。
【課題を解決するための手段】
【０００５】
本考案の組合せ式ジューサーは、ジュースを収集するためのものであり、縦軸に沿って延びている収容空間を有し、収容空間の上側には、大径な開口端が設けられており、開口端のエッジにジュース排出口が形成されており、収容空間の底側には、小径な収集端が設けられており、収集端の底側にジュース案内口が形成されており、収容空間の開口端に近接する箇所では、一組の規制台が設けられているジュース集中子と、ジュース案内口を閉鎖するためのものであり、中空ネックを有し、その底端が封止されて台座となり、台座がジュース集中子を支持する閉鎖子と、順方向又は逆方向でジュース集中子に組付けることが可能であり、網状ろ過ディスクを有し、網状ろ過ディスクの周面には、収容空間の規制台に対応して規制台を定位する規制翼が設けられており、網状ろ過ディスクの順方向端の軸心に中空ネック部が設けられており、網状ろ過ディスクの逆方向端の軸心には、中空ネック部と連通する中空円錐状柱が設けられており、中空円錐状柱の末端には、果物に挿入可能なカッター端が設けられており、中空円錐状柱の開口から予定距離に離れている箇所では、ピールの移動を止めるための止めシートが設けられており、中空円錐状柱の外周面には、果物を搾れる搾汁部と、中空円錐状柱の内部と連通する網穴と、が設けられている搾汁本体と、搾汁本体を順方向で組み立てているときに、中空ネック部に合わせて、ジュース集中子の内部にあるジュースを空気圧によって移動させるものであり、押圧可能なノズルと、搾汁本体の軸方向に沿って挿入するストローと、を含み、ストローによりジュースを吸上げて外部に送り出すことが可能なポンプユニットと、を含む組合せ式ジューサーにおいて、搾汁本体を順方向で組み立てているときには、果物のジュースを吸上げて噴出することが可能であり、搾汁本体を逆方向で組み立てているときには、果物を搾汁することが可能であることを特徴とする。
【０００６】
本考案の組合せ式ジューサーは、搾汁部は、三角形断面を有する複数の絞り刃と、案内溝と、から構成され、絞り刃のリッジには、フォークが少なくとも一つ設けられていることを特徴とする。
【０００７】
本考案の組合せ式ジューサーは、ジュース集中子のジュース案内口の外周面に外ねじが設けられており、閉鎖子の中空ネックの内周面には、外ねじと螺合する内ねじが設けられていることを特徴とする。
【０００８】
本考案の組合せ式ジューサーは、ジュース集中子の規制台は、横方向に沿って設けられている止め用肩部と、立設されている規制壁と、から構成され、規制壁の端面には、一組の定位穴が設けられており、搾汁本体の規制翼の腹側には、規制台の定位穴と嵌合する定位凸部がそれぞれ設けられていることを特徴とする。
【０００９】
本考案の組合せ式ジューサーは、搾汁本体の中空ネック部の外周面に外ねじが設けられており、ノズルの周面の底側には、内ねじが設けられている螺旋付きスリーブが設けられており、螺旋付きスリーブは中空ネック部と螺合することが可能であることを特徴とする。
【００１０】
本考案の組合せ式ジューサーは、ノズルの内部には、バネと、ボール弁と、が設けられており、ノズルの半径方向には、ノズルと連通する噴出穴が設けられており、ストローの底端には、網穴を有するろ過スリーブが嵌め設けられていることを特徴とする。
【００１１】
本考案の組合せ式ジューサーは、中空円錐状柱の末端に設けられているカッター端には、内側へ傾斜するのこぎり歯が設けられていることを特徴とする。
【考案の効果】
【００１２】
本考案の組合せ式ジューサーには、次のような効果がある。
（１）搾汁本体を順方向で組み立てているときには、果物のジュースを吸上げて噴出することが可能であり、搾汁本体を逆方向で組み立てているときには、果物を搾汁することが可能である。
【００１３】
（２）カッターを使用することが必要なく、ジュースを最大限に得ることが可能であり、ゴミがジュースに入らない。
【００１４】
（３）絞り刃に設けられているフォークにより、果物の内部の果肉を強力に搾れることが可能である。
【図面の簡単な説明】
【００１５】
【図１】本考案の一実施例を示す分解斜視図である。
【図２】図１の順方向組合せモードの組合済み状態を示す断面図である。
【図３】図１の逆方向組合せモードの組合済み状態を示す断面図である。
【図４】図３の順方向組合せモードを示す平面図である。
【図５】図１における１−１線断面図である。
【図６】図３の逆方向組合せモードでの搾汁操作を示す模式図である。
【図７】図３の逆方向組合せモードで、ビンを合わせて搾汁操作を行っている状態を示す模式図である。
【図８】図２の順方向組合せモードで、ジュースを吸上げている操作を示す模式図である。
【図９】図２の順方向組合せモードで、本考案の一実施例を果物に挿入して果物を搾汁する操作を示す模式図１である。
【図１０】図２の順方向組合せモードで、本考案の一実施例を果物に挿入して果物を搾汁する操作を示す模式図２である。
【考案を実施するための形態】
【００１６】
以下、本考案の実施の形態を図面に基づいて説明する。
図１から図１０を参照する。図１は本考案の一実施例を示す分解斜視図であり、図２は図１の順方向組合せモードの組合済み状態を示す断面図であり、図３は図１の逆方向組合せモードの組合済み状態を示す断面図であり、図４は図３の順方向組合せモードを示す平面図であり、図５は図１における１−１線断面図であり、図６は図３の逆方向組合せモードでの搾汁操作を示す模式図であり、図７は図３の逆方向組合せモードで、ビンを合わせて搾汁操作を行っている状態を示す模式図であり、図８は図２の順方向組合せモードで、ジュースを吸上げている操作を示す模式図であり、図９は、図２の順方向組合せモードで、本考案の一実施例を果物に挿入して果物を搾汁する操作を示す模式図１であり、図１０は、図２の順方向組合せモードで、本考案の一実施例を果物に挿入して果物を搾汁する操作を示す模式図２である。本考案の一実施例の組合せ式ジューサーは、ジュース集中子１０と、閉鎖子２０と、搾汁本体３０と、ポンプユニット４０と、を含む。
【００１７】
ジュース集中子１０は、ジュースを収集するためのものであり、縦軸に沿って延びている収容空間１１を有する。収容空間１１の上側には、大径な開口端１２が設けられている。開口端１２のエッジにジュース排出口１２１が形成されている。収容空間１１の底側には、小径な収集端１３が設けられている。
収集端１３の底側にジュース案内口１３１が形成されている。ジュース案内口１３１の外周面に外ねじ１３２が設けられている。収容空間１１の開口端１２に近接する箇所では、一組の規制台１４が設けられている。規制台１４は、横方向に沿って設けられている止め用肩部１４１と、立設されている規制壁１４２と、から構成される。規制壁１４２の端面には、一組の定位穴１４３が設けられている。
【００１８】
閉鎖子２０は、ジュース案内口１３１を閉鎖するためのものであり、中空ネック２１を有し、その底端２１２が封止されて台座２２となる。台座２２はジュース集中子１０を安定的に支持することが可能である。中空ネック２１の内周面に内ねじ２１１が設けられている。
【００１９】
搾汁本体３０は、順方向又は逆方向でジュース集中子１３１に組付けることが可能であり、網状ろ過ディスク３１を有する。網状ろ過ディスク３１の周面には、収容空間１１の規制台１４に対応して規制台１４を定位する規制翼３２が設けられている。
図４に示すように、規制翼３２の腹側には、規制台１４の定位穴１４３と嵌合する定位凸部３２１がそれぞれ設けられている。網状ろ過ディスク３１の順方向端の軸心に中空ネック部３３が設けられている。中空ネック部３３の外周面に外ねじ３３１が設けられている。網状ろ過ディスク３１の逆方向端の軸心には、中空ネック部３３と連通する中空円錐状柱３４が設けられている。中空円錐状柱３４の末端には、果物に挿入可能なカッター端３４１が設けられている。カッター端３４１には、内側へ傾斜するのこぎり歯が設けられていることが好ましい。
図２及び図３に示すように、中空円錐状柱３４の開口から予定距離に離れている箇所では、ピール５１の軸方向への移動を止めるための止めシート３４２が設けられている。中空円錐状柱３４の外周面には、果物５０を搾れる搾汁部３５と、中空円錐状柱３４の内部と連通する網穴３６と、が設けられている。搾汁部３５は、図５に示すように、三角形断面を有する複数の絞れ刃３５１と、案内溝３５２と、から構成される。絞れ刃３５１のリッジには、フォーク３５３が少なくとも一つ設けられている。フォーク３５３の回転により、果物５０が強力に搾れる。
【００２０】
ポンプユニット４０は、搾汁本体３０を順方向で組み立てているときに、中空ネック部３３に合わせて、ジュース集中子１０の内部にあるジュースを空気圧によって移動させるものであり、押圧可能なノズル４１と、搾汁本体３０の軸方向に沿って挿入するストロー４１４と、を有する。
ノズル４１の周面の底側には、内ねじ４２１が設けられている螺旋付きスリーブ４２が設けられている。螺旋付きスリーブ４２は中空ネック部３３と螺合することが可能である。ノズル４１の内部には、バネ４１１と、ボール弁４１２と、が設けられている。ノズル４１の半径方向には、ノズル４１と連通する噴出穴４１３が設けられている。ストロー４１４の底端には、網穴を有するろ過スリーブ４１５が嵌め設けられている。
【００２１】
このように、搾汁本体３０を順方向で組み立てているときには、果物のジュースを吸上げて噴出することが可能であり、搾汁本体３０を逆方向で組み立てているときには、果物を搾汁することが可能である。本考案の一実施例の組合せ式ジューサーは、操作モードを迅速に変換することが可能であり、操作効率が極めて高い。
【００２２】
図１及び図３を参照する。本考案の一実施例の組合せ式ジューサーにより、果物を搾りたい場合には、ジュース集中子１０の底端に設けられている外ねじ１３２と閉鎖子２０の内ねじ２１１を螺合すると、ジュースを収容可能なコップが形成される。搾汁本体３０のカッター端３４１が下方に向いている状態で、ジュース集中子１０に搾汁本体３０を合わせて、図３及び図４に示すように、収容空間１１の規制台１４に、網状ろ過ディスク３１の周面に設けられている規制翼３２を係合する。
横方向に沿って設けられている止め用肩部１４１と、立設されている規制壁１４２とにより、規制翼３２を規制することが可能である。そして規制壁１４２の端面に設けられている定位穴１４３に規制翼３２の定位凸部３２１を嵌合して定位することにより、搾汁本体３０とジュース集中子１０の結合がもっと安定的となる。
最後に、図６に示すように、搾汁本体３０の中空円錐状柱３４の末端に設けられているカッター端３４１を果物５０に挿入しながら、一定の回転数で搾汁本体３０を回転する。このとき、絞り刃３５１のフォーク３５３は、先に果物５０の内部にある果肉を切って、回転している絞り刃３５１により果肉が強力に搾られる。搾汁本体３０を軸方向に沿って移動しているときには、カッター端３４１により果物５０のピール５１の一部が切られる。止めシート３４２を設けることにより、切られたピール５１が止められると同時に、果物５０の果肉が搾汁部３５に緊密に押付けている。
果物５０を握って引き続き回転させることにより、図５及び図６に示すように、果物５０の果肉が絞り刃３５１に掠られて、ジュースが流出して案内溝３５２にガイドされてジュース集中子１０の収容空間１１に流入する。収容空間１１内にある前記ジュースの量が一定になると、ジュース集中子１０のジュース排出口１２１から、前記ジュースを注ぎ出す。
【００２３】
図１及び図７に示すように、ジュース集中子１０の底端に螺合されている閉鎖子２０を取外して、瓶状容器６０のビン開口６１に挿入することにより、果物５０を搾って流出するジュースが瓶状容器６０に直接に流入する。すなわち、果物５０を搾れて流出するジュースは、案内溝３５２にガイドされて、ジュース集中子１０の収容空間１１に流入して、ジュース案内口１３１から瓶状容器６０に流入する。
【００２４】
また、ジュース集中子１０の底端に閉鎖子２０が螺合されている状態で、収容空間１１内にある前記ジュースの量が一定になるときに、図８に示すように、本考案の一実施例の組合せ式ジューサーは、「ジューススプレー」モードに変換することが可能である。「ジューススプレー」モードとは、搾汁本体３０を反転することにより中空円錐状柱３４を下方に向かせて、ジュース集中子１０の収容空間１１に中空円錐状柱３４を挿入して、収容空間１１に設けられている規制台１４に、網状ろ過ディスク３１の周面に設けられている規制翼３２を係合することにより、搾汁本体３０とジュース集中子１０の結合はもっと安定的となる。
最後に、ポンプユニット４０のノズル４１の底側に設けられている螺旋付きスリーブ４２に中空ネック部３３を螺合すると同時に、ストロー４１４の底端にろ過スリーブ４１５を嵌め設けて、搾汁本体３０の軸方向に沿ってストロー４１４を搾汁本体３０の内部に挿入する。このように、ノズル４１を押圧すると、バネ４１１とボール弁４１２により、収容空間１１に貯留しているジュースが吸上げられて、ストロー４１４を経由して、噴出穴４１３から外部に噴出することが可能である。このように、焼きたい食材にジュースを直接にスプレーすることが可能である。
【００２５】
一方、搾汁本体３０にポンプユニット４０を組付けて、これらを果物５０に差し込むと、果物５０を搾れてジュースをスプレーすることが可能である。
すなわち、図９及び図１０に示すように、搾汁本体３０の中空円錐状柱３４の末端に設けられているカッター端３４１を果物５０に直接に差し込んで、中空円錐状柱３４を一定の回転数で回転すると、果物５０のカッター端３４１に切られたピール５１は、止めシート３４２に止められて、果実の内部に埋め込まれる。このとき、果物５０の内部の果肉が搾汁部３５に緊密に押付けているため、ユーザが網状ろ過ディスク３１の周縁を握って回転させることにより、果物５０の内部の果肉が絞り刃３５１に掠められて、ジュースが流出して果物５０の内部に貯留する。
最後に、ノズル４１を押圧すると、バネ４１１とボール弁４１２により、果物５０の内部に貯留しているジュースが吸上げられて、ストロー４１４を経由して、噴出穴４１３から外部に噴出することが可能である。
【００２６】
本考案は、ジューサーに適用することができる。
【符号の説明】
【００２７】
１０    ジュース集中子
１１    収容空間
１２    開口端
１３    集中端
１４    規制台
２０    閉鎖子
２１    中空ネック
２２    台座
３０    搾汁本体
３１    網状ろ過ディスク
３２    規制翼
３３    中空ネック部
３４    中空円錐状柱
３５    搾汁部
３６    網穴
４０    ポンプユニット
４１    ノズル
４２    螺旋付きスリーブ
５０    果物
５１    ピール
６０    瓶状容器
６１    ビン開口
１２１  ジュース排出口
１３１  ジュース案内口
１３２  外ねじ
１４１  止め用肩部
１４２  規制壁
１４３  定位穴
２１１  内ねじ
２１２  底端
３２１  定位凸部
３３１  外ねじ
３４１  カッター端
３４２  止めシート
３５１  絞り刃
３５２  案内溝
３５３  フォーク
４１１  バネ
４１２  ボール弁
４１３  噴出穴
４１４  ストロー
４１５  ろ過スリーブ
４２１  内ねじ
【図１】
0003187897.tif 000003
【図２】
0003187897.tif 000004
【図３】
0003187897.tif 000005
【図４】
0003187897.tif 000006
【図５】
0003187897.tif 000007
【図６】
0003187897.tif 000008
【図７】
0003187897.tif 000009
【図８】
0003187897.tif 000010
【図９】
0003187897.tif 000011
【図１０】
0003187897.tif 000012